(57)【要約】【課題】  平板型アルミ電解コンデンサを照明装置に用いる場合、省スペースで、かつ、発光部用メインコンデンサのリード線が断線したり外れたりするのを防止できる照明装置を提供する。【解決手段】  発光部と、平板型アルミ電解コンデンサと、実装部品を含む回路基板とを有し、前記平板型アルミ電解コンデンサの封止部分に前記回路基板を重ねて配置することを特徴とする照明装置。【選択図】  図１
2005134727.tif 000002
【特許請求の範囲】
【請求項１】
発光部と、
平板型アルミ電解コンデンサと、
実装部品を含む回路基板とを有し、
前記平板型アルミ電解コンデンサの封止部分に前記回路基板を重ねて配置することを特徴とする照明装置。
【請求項２】
発光部と、
平板型アルミ電解コンデンサと、
実装部品を含む回路基板と、
平板型電池と、を有する照明装置において、
前記平板型電池の封止部分に前記回路基板を重ねて配置することを特徴とする照明装置。
【請求項３】
発光部と、
平板型アルミ電解コンデンサと、
実装部品を含む回路基板と、
平板型電池と、を有する照明装置において、
上記平板型アルミ電解コンデンサと上記平板型電池の封止部分に上記回路基板を重ねて配置することを特徴とする照明装置。
【請求項４】
発光部と、
平板型アルミ電解コンデンサと、
上記平板型アルミ電解コンデンサを収納する筐体と、を有する照明装置において、
該筐体内に上記平板型アルミ電解コンデンサ封止部に近接もしくは当接するようなリブ形状を設けることを特徴とする照明装置。
【請求項５】
発光部と、
平板型アルミ電解コンデンサと、
平板型電池と、
上記平板型アルミ電解コンデンサと上記平板型電池を収納する筐体と、を有する照明装置において、
該筐体内に上記平板型アルミ電解コンデンサと上記平板型電池の封止部分に近接もしくは当接するようなリブ形状を設けることを特徴とする照明装置。
【請求項６】
前記リブ形状は先端が段になっていることを特徴とする請求項５記載の照明装置。
【請求項７】
前記平板型アルミ電解コンデンサの端子部に、前記回路基板を近接して配置することを特徴とする請求項1から５記載の照明装置。
【請求項８】
請求項１から７のうちいずれかに記載の照明装置を備えたことを特徴とする撮影装置。
【発明の詳細な説明】
【技術分野】
【０００１】
本発明はカメラのストロボ等の照明装置に関するものである。詳しくは、照明装置の内部の省スペース化に関するものである。
【背景技術】
【０００２】
従来、カメラのストロボ等の照明装置に用いられているメインコンデンサ（アルミ電解コンデンサ）は、円筒型の形状をしており、特許文献１に提案されたカメラのバッテリとストロボコンデンサの配置構造に関するものは、上記ストロボコンデンサを２つの円筒形状のコンデンサに分割して、バッテリと上記コンデンサの１つとをカメラ本体のグリップ部に収納する。そして、他の上記コンデンサをグリップ以外のカメラ本体内部に配置したものである。しかし、所謂コンパクトカメラやストロボ等の照明装置は直方体形状をしているものが多くあり、照明装置をカメラ内部に組み込む際にそのレイアウトが難しいものになっていた。
【０００３】
近年、平板型のアルミ電解コンデンサが開発されており、その外装には、リチウムイオンポリマー電池と同様のラミネート封止技術が使われている。アルミラミネートパックを使うことにより薄型・軽量化できる。しかも、金属電槽缶を使用しないので形状変更に素早く対応できる等のメリットがある。
【０００４】
そこで、上記の平板型のアルミ電解コンデンサを用いることで、カメラに照明装置を組み込む際のレイアウトの自由度が増すことになる。
【０００５】
また、カメラ等の照明装置のメインコンデンサは、照明装置を構成する部品が載置、配線された回路基板上に、メインコンデンサが照明装置に配線されるための、回路基板上に半田付けされた金属製の２本のリード線の剛性で回路基板上に固定されていた。
【特許文献１】特開平０９−０８０６０３号公報
【発明の開示】
【発明が解決しようとする課題】
【０００６】
しかしながら、上記平板型アルミ電解コンデンサを照明装置に用いる場合、コンデンサの封止部分がデッドスペースになっていた。
【０００７】
また、照明装置のメインコンデンサは、金属製の２本のリード線の剛性だけで回路基板上に載置、固定されており、メインコンデンサの周囲に載置、固定されている他の部品との間には空間があるので、ストロボ内蔵照明装置の輸送時などに、振動等の原因でメインコンデンサのリード線が歪み、そのため、リード線の物理的ストレスによる断線、基板への半田付け部分の剥離などが起こる可能性がある。
【０００８】
このため、メインコンデンサのリード線の歪みを防ぐ目的で、メインコンデンサに当接して揺れを制限するための突起等の揺れ防止部材を新たに設けることが考えられるが、アルミラミネートパックの性質上、パックの中央部には強い力を加えることはできない。
【０００９】
本発明は上記従来技術の問題点を考慮してなされたもので、省スペースで、なおかつ、ストロボ用メインコンデンサのリード線が断線したり外れたりすることを防止できる照明装置を提供することを目的とする。
【課題を解決するための手段】
【００１０】
そこで本発明は、前記目的を達成するために本願における請求項１記載の発明によれば、発光部と、平板型アルミ電解コンデンサと、実装部品を含む回路基板と、を有する照明装置において、上記平板型アルミ電解コンデンサの封止部分に上記回路基板を重ねて配置することを特徴とする。
【００１１】
また、前記目的を達成するために本願における請求項２記載の発明によれば、発光部と、平板型アルミ電解コンデンサと、実装部品を含む回路基板と、平板型電池と、を有する照明装置において、上記平板型電池の封止部分に上記回路基板を重ねて配置することを特徴とする。
【００１２】
また、前記目的を達成するために本願における請求項３記載の発明によれば、発光部と、平板型アルミ電解コンデンサと、実装部品を含む回路基板と、平板型電池と、を有する照明装置において、上記平板型アルミ電解コンデンサと上記平板型電池の封止部分に上記回路基板を重ねて配置することを特徴とする。
【００１３】
また、前記目的を達成するために本願における請求項４記載の発明によれば、発光部と、平板型アルミ電解コンデンサと、上記平板型アルミ電解コンデンサを収納する筐体と、を有する照明装置において、該筐体内に上記平板型アルミ電解コンデンサ封止部に近接もしくは当接するようなリブ形状を設けることを特徴とする。
【００１４】
また、前記目的を達成するために本願における請求項５記載の発明によれば、発光部と、平板型アルミ電解コンデンサと、平板型電池と、上記平板型アルミ電解コンデンサと、上記平板型電池を収納する筐体と、を有する照明装置において、該筐体内に上記平板型アルミ電解コンデンサと上記平板型電池の封止部分に近接もしくは当接するようなリブ形状を設けることを特徴とする。
【００１５】
また、前記目的を達成するために本願における請求項６記載の発明によれば、前記リブ形状は先端が段になっていることを特徴とする。
【００１６】
また、前記目的を達成するために本願における請求項７記載の発明によれば、請求項１から５記載の照明装置において、前記平板型アルミ電解コンデンサの端子部に、前記回路基板を近接して配置することを特徴とする。
【００１７】
以上のように、本発明によれば、平板型アルミ電解コンデンサの封止部分に回路基板を重ねて配置することで、スペースの有効活用ができ、省スペース化が図れる。
【００１８】
また、照明装置本体の強度アップ用のリブをコンデンサの封止部分に当接させて、コンデンサの揺れ防止に兼用しているので、ユニットの小型化に効果的である。また、照明装置の輸送時などに、ショックや振動等が加わってもメインコンデンサが所定の取り付け位置から大きく揺れ動くことがなくなるので、メインコンデンサのリード線が断線したり外れたりすることを減少させるのに効果的である。
【００１９】
照明装置は、デジタルスチルカメラなどの撮影装置に取り付けることができる。
【発明の効果】
【００２０】
以上のように、本発明によれば、コンデンサの封止部分に回路基板を重ねて配置することで、スペースの有効活用ができ、省スペース化が図れた。
【００２１】
また、照明装置本体の強度アップ用のリブをコンデンサの封止部分に当接させて、コンデンサの揺れ防止に兼用しているので、ユニットの小型化に効果的である。また、照明装置の輸送時などに、ショックや振動等が加わってもメインコンデンサが所定の取り付け位置から大きく揺れ動くことがなくなるので、メインコンデンサのリード線が断線したり外れたりすることを減少させるのに効果的である。
【発明を実施するための最良の形態】
【００２２】
以下本発明の実施例を図面を参照しながら説明する。
【００２３】
第１図は本発明を実施した照明装置の一例としてのカメラ用のカード型外付ストロボである。照明装置１には不図示の接続部が設けてあり、カメラ等の撮影装置と接続可能となっている。
【００２４】
第２図は本発明を実施した照明装置１の分解斜視図で、第３図は本発明を実施した照明装置１を第２図とは別の方向から見た分解斜視図である。照明装置１は後カバー２、前カバー３で構成されている。
【００２５】
まず、後カバー２には、閃光放電管（発光管）と反射鏡などからなる閃光発光部４、ラミネート封止されたアルミラミネートパックを外装に使用した平板型電池５、平板型電池５と同様にラミネート封止されたアルミラミネートパックを外装に使用した平板型電解コンデンサ（メインコンデンサ）６、充電状態等を表示する液晶表示装置７、閃光発光部４の公知のストロボ回路に必要な部品を載置、配線したストロボ基板８が取りつけられている。メインコンデンサ６の端子１１にはリード線９が連結され、このリード線９の先端はストロボ基板８の所定位置に半田付けされている。
【００２６】
ここで、第４図を用いて平板型電池５およびメインコンデンサ６のラミネート封止されたアルミラミネートパックの構造について説明する。平板型電池５およびメインコンデンサ６は周囲に封止部１０があり、平板型電池５およびメインコンデンサ６の端子は封止部の間から引き出されており、端子１１が引き出されている封止部分は他の封止部分と比べて広い面積を有している。これは、液漏れ等が起こりにくいようにするためである。
【００２７】
第５図は本発明の照明装置１のＡＡ断面図である。第５図に示したように、ストロボ基板８は平板型電池５またはメインコンデンサ６のラミネート封止部の内、端子が引き出されている部分に重ねて配置しており、平板型電池５およびメインコンデンサ６とストロボ基板８との配線を最短にするだけでなく、省スペース化が図られている。
【００２８】
また、前カバー３には、閃光発光部４用の窓部１２が設けてある。さらに、平板型電池５またはメインコンデンサ６のラミネート封止部に向かって突出させたリブ１３が一体に設けられている。
【００２９】
第６図は本発明の照明装置１のＢＢ断面図である。第６図に示したように、上記リブ１３は先端部が段構造になっており、先端は後カバー３に当接するようになっており、照明装置１に外圧が加わったときに力を受けるようになっており、照明装置１の強度をアップするようになっている。また、先端から一段下がった場所では平板型電池５またはメインコンデンサ６のラミネート封止部に接近するようになっており、メインコンデンサ６の揺れ防止にも用いており、リブ１３は照明装置１の強度をアップとともにメインコンデンサ６の揺れ防止の両方の働きを持っている。
【００３０】
ここで、上記構成による揺れ防止作用について説明する。メインコンデンサ６のラミネート封止部にはリブ１３が接近する。したがって、リード線９によってストロボ基板８に接続されたメインコンデンサ６は、動きが制限されるようになる。
【００３１】
この結果、製造後の照明装置を輸送するとき、あるいはその使用中に多少のショックや振動が加わったとしても、メインコンデンサ６が大きく動くことはなく、断線や半田付け部分の剥離による接触不良を減少させることができる。
【００３２】
また、第６図に示すように、アルミラミネートパックの封止部に第２図と第３図において不図示である配線１４を重ねるように配置することで省スペース化が図られている。
【００３３】
本発明は、撮影装置とは別体になっている照明装置を用いて説明したが、本発明はこれに限定されるものではなく、ラミネート封止されたアルミラミネートパックを外装に使用した平板型電池または平板型電解コンデンサを備える照明装置をカメラ等の撮影装置に組み込む際にも同様の技術を用いても構わない。
【図面の簡単な説明】
【００３４】
【図１】本発明を実施した照明装置
【図２】本発明を実施した照明装置の分解斜視図
【図３】第２図とは別の方向から見た分解斜視図
【図４】アルミラミネートパックの外観図
【図５】本発明を実施した照明装置のＡＡ断面図
【図６】本発明を実施した照明装置のＢＢ断面図
【符号の説明】
【００３５】
１…照明装置、２…後カバー、３…、前カバー、４…閃光発光部、
５…平板型電池、６…平板型電解コンデンサ、７…液晶表示装置、
８…ストロボ基板、９…リード線、１０…アルミラミネートパックの封止部、
１１…閃光発光部用の窓部、１２…リブ、１３…配線
【図１】
2005134727.tif 000003
【図２】
2005134727.tif 000004
【図３】
2005134727.tif 000005
【図４】
2005134727.tif 000006
【図５】
2005134727.tif 000007
【図６】
2005134727.tif 000008